(57)【要約】  本発明は、モバイルネットワークアクセス能力及び固定無線ネットワークアクセス能力を有するデュアル・ユーザ機器(６)のホームオペレータによるネットワーク選択の制御方法に関する。本発明に係る方法は、ユーザ機器(６)のホームオペレータがモバイルオペレータ又は固定無線オペレータのいずれであるかを示すコンフィグレーションパラメータＨＯＣを定義し、前記コンフィグレーションパラメータＨＯＣをユーザ機器(６)へ記憶し、初期ネットワーク選択時に、前記コンフィグレーションパラメータＨＯＣの値に基づきネットワークを選択するステップを含む。【選択図】図４
2011523514.tif 000002
【特許請求の範囲】
【請求項１】
モバイルネットワークアクセス能力及び固定無線ネットワークアクセス能力を有するデュアル・ユーザ機器（６）のホームオペレータによるネットワーク選択の制御方法であって、
前記ユーザ機器（６）のホームオペレータがモバイルオペレータ又は固定無線オペレータのいずれであるかを示すコンフィグレーションパラメータＨＯＣを定義し、
前記コンフィグレーションパラメータＨＯＣを、前記ユーザ機器（６）へ記憶し、
初期ネットワーク選択時に、前記コンフィグレーションパラメータＨＯＣの値に基づきネットワークを選択する、
ステップを特徴とするネットワーク選択の制御方法。
【請求項２】
モバイルホームオペレータ及び固定無線ホームオペレータの両者に適用可能なネットワーク選択情報を、前記ユーザ機器（６）へ記憶し、
固定無線ホームオペレータの場合に適用可能な固定無線ネットワーク選択情報を、前記ユーザ機器（６）へ記憶し、
固定無線ホームオペレータに適用可能な固定無線ネットワーク選択情報を定義すると共に、当該固定無線ネットワーク選択情報を前記ユーザ機器（６）へ記憶し、
前記コンフィグレーションパラメータＨＯＣの値に応じて、好適なデフォルトネットワークアクセスメカニズムを前記ユーザ機器（６）へ設定し、
前記コンフィグレーションパラメータＨＯＣの値に応じて、好適なデフォルトネットワークを前記ユーザ機器（６）へ設定する、
ことを含む請求項１に記載のネットワーク選択の制御方法。
【請求項３】
前記デフォルトネットワークアクセスメカニズムは、前記コンフィグレーションパラメータＨＯＣがモバイルネットワークコンフィグレーションパラメータである場合、モバイルネットワークに設定され、前記コンフィグレーションパラメータＨＯＣが固定無線コンフィグレーションパラメータである場合には、固定無線ネットワークに設定される請求項２に記載のネットワーク選択の制御方法。
【請求項４】
前記好適なデフォルトネットワークは、前記コンフィグレーションパラメータＨＯＣがモバイルネットワークコンフィグレーションパラメータである場合、ＨＰＬＭＮに設定され、前記コンフィグレーションパラメータＨＯＣが固定無線コンフィグレーションパラメータである場合には、Ｈ−ＷＳＩＤのリストに設定される請求項２に記載のネットワーク選択の制御方法。
【請求項５】
前記ネットワーク選択情報は、
ユーザ選好のＰＬＭＮリストと、
オペレータ選好のＰＬＭＮリストと、
ユーザ選好の固定無線アクセスポイントのリストを識別するための、ユーザ選好のＷＳＩＤリストと、
前記ホームオペレータの固定オペレータローミングパートナーが所有する好適なアクセスポイントのリストを識別するための、オペレータ選好のＷＳＩＤリストと、
を含む請求項２に記載のネットワーク選択の制御方法。
【請求項６】
前記固定無線ネットワーク選択情報は、固定無線ホームオペレータが所有するアクセスポイントのリストを識別するためのホームオペレータアクセスポイントリスト（Ｈ−ＷＳＩＤｓ）を含む請求項２に記載のネットワーク選択の制御方法。
【請求項７】
前記固定無線ネットワーク選択情報は、前記ユーザ機器が、ネットワークを選択できないデフォルトネットワーク選択後の代替ネットワーク選択時に、モバイルネットワークアクセス又は固定無線ネットワークアクセスのいずれを優先させるべきかを示す好適ローミングアクセスインジケータを更に含む請求項２及び６に記載のネットワーク選択の制御方法。
【請求項８】
前記固定無線ネットワーク選択情報は、固定無線オペレータが好適なモバイルネットワークオペレータを有するか否かを示す好適モバイルネットワークインジケータを更に含む請求項２及び６に記載のネットワーク選択の制御方法。
【請求項９】
前記コンフィグレーションパラメータＨＯＣの値と、ユーザ及びオペレータ選好のＰＬＭＮリスト並びにユーザ及びオペレータ選好のＷＳＩＤリストを含み、モバイル及び固定無線ホームオペレータの両者に適用可能なネットワーク選択情報とを検索すると共に、前記ＨＯＣの値が固定無線ホームオペレータを示す場合には前記固定無線ネットワーク選択情報を検索し、
初期ネットワーク選択時、前記コンフィグレーションパラメータＨＯＣがモバイルネットワークコンフィグレーションパラメータである場合にＰＬＭＮ選択を行い、前記コンフィグレーションパラメータＨＯＣが固定無線コンフィグレーションパラメータである場合には固定無線ネットワーク選択を行う、
ステップを更に含む請求項１に記載のネットワーク選択の制御方法。
【請求項１０】
前記ユーザ機器（６）は、ＰＬＭＮ選択が行われた場合にＨＰＬＭＮを選択し、固定無線ネットワーク選択が行われた場合にはホームオペレータアクセスポイントＨ−ＷＳＩＤ（ｓ）を選択する請求項９に記載のネットワーク選択の制御方法。
【請求項１１】
前記初期ネットワーク選択を用いてネットワークを選択できない場合、前記ユーザ機器（６）は、
ＰＬＭＮ初期ネットワーク選択に失敗すると、ユーザ又はオペレータ選好のアクセスポイントＷＳＩＤ（ｓ）を選択するのみの固定無線ネットワーク選択を行い、
固定無線初期ネットワーク選択に失敗すると、
デフォルトネットワークアクセスメカニズムが固定無線ネットワークに設定され、且つ好適ローミングアクセスメカニズムがモバイルネットワークアクセスメカニズムに設定されている場合にＰＬＭＮ選択を行い、当該ＰＬＭＮ選択に失敗すると、ユーザ又はオペレータ選好のアクセスポイントＷＳＩＤ（ｓ）を選択するのみの固定無線ネットワーク選択を行い、
デフォルトネットワークアクセスメカニズムが固定無線ネットワークに設定され、且つ好適ローミングアクセスメカニズムが固定無線ネットワークに設定されている場合に固定無線ネットワーク選択を行い、当該固定無線ネットワーク選択に失敗すると、ユーザ又はオペレータ選好のアクセスポイントＷＳＩＤ（ｓ）を選択するのみのＰＬＭＮ選択を行う、
ように代替ネットワーク選択を進める請求項１０に記載のネットワーク選択の制御方法。
【請求項１２】
固定無線ネットワークホームオペレータ用の代替ネットワーク選択が選択された場合、当該代替ネットワーク選択は、
好適モバイルネットワークインジケータ情報が、固定無線ホームオペレータが好適なモバイルネットワークオペレータとしてのＨＰＬＭＮと商業協定を結んでいることを示す場合、当該ＨＰＬＭＮを最高優先度のＰＬＭＮとした状態での従来のＰＬＭＮ選択であり、
前記好適モバイルネットワークインジケータ情報が、前記固定無線ホームオペレータが複数のモバイルネットワークと直接的な商業協定を結んでいることを示す場合には、前記ＨＰＬＭＮ無しのＰＬＭＮ選択手順である請求項１に記載のネットワーク選択の制御方法。
【請求項１３】
固定無線ホームオペレータが所有するアクセスポイントは、他の固定無線ネットワークが所有するアクセスポイントとは別個のリスト(Ｈ−ＷＳＩＤ(ｓ))へ記憶され、以てホームオペレータのアクセスポイント選択を、固定無線ローミングパートナーのアクセスポイント選択とは独立して開始可能にする請求項１に記載のネットワーク選択の制御方法。
【請求項１４】
ホームオペレータクラスＨＯＣ及び固定無線ネットワーク選択情報(Ｈ−ＷＳＩＤ(ｓ)、好適ローミングアクセスメカニズム、好適モバイルネットワークインジケータ)は、前記ユーザ機器（６）のＵＳＩＭ又はＮＶＭへ、ホームオペレータにより設定され、且つ工場設定されるか或いは動的に与えられ得る請求項１３に記載のネットワーク選択の制御方法。
【請求項１５】
前記ホームオペレータクラスＨＯＣ及び固定無線ネットワーク選択情報は、前記ホームオペレータにより、前記ユーザ機器（６）の電源オン後にＯＡＭ ＤＭ、ＳＭＳ又はＵＳＳＤのようなエアメカニズムを用いて更新可能である請求項１４に記載のネットワーク選択の制御方法。
【請求項１６】
モバイルネットワークアクセス能力及び固定無線ネットワークアクセス能力を有するユーザ機器（６）であって、
前記ユーザ機器（６）のホームオペレータがモバイルオペレータ又は固定無線オペレータのいずれであるかを示すコンフィグレーションパラメータＨＯＣを解析する手段と、
前記コンフィグレーションパラメータＨＯＣを記憶する手段と、
初期ネットワーク選択時に、前記コンフィグレーションパラメータＨＯＣに基づきネットワークを選択する手段と、
を特徴とするユーザ機器（６）。
【請求項１７】
前記コンフィグレーションパラメータＨＯＣを検索する手段と、
ユーザ及びオペレータ選好のＰＬＭＮリスト並びにユーザ及びオペレータ選好のＷＳＩＤリストを含み、モバイル及び固定無線ホームオペレータの両者に適用可能なネットワーク選択情報を検索する手段と、
固定無線ホームオペレータに適用可能な固定無線ネットワーク選択情報を検索する手段と、
前記ネットワークコンフィグレーションパラメータＨＯＣがモバイルネットワークコンフィグレーションパラメータである場合にＰＬＭＮ選択を、前記ネットワークコンフィグレーションパラメータＨＯＣが固定無線コンフィグレーションパラメータである場合には固定無線ネットワーク選択を行う手段と、
を更に備えた請求項１６に記載のユーザ機器（６）。
【請求項１８】
前記ネットワーク選択情報を検索する手段は、
ユーザ選好のＰＬＭＮリストと、
オペレータ選好のＰＬＭＮリストと、
ユーザ選好のＷＳＩＤリストと、
オペレータ選好のＷＳＩＤリストと、
を含む請求項１７に記載のユーザ機器（６）。
【請求項１９】
前記固定無線ネットワーク選択情報を検索する手段は、
ホームオペレータアクセスポイントリスト（Ｈ−ＷＳＩＤｓ）と、
好適ローミングアクセスメカニズムと、
好適モバイルネットワークインジケータと、
を含む請求項１７に記載のユーザ機器（６）。
【請求項２０】
モバイルネットワークアクセス能力及び固定無線ネットワークアクセス能力を有するデュアル・ユーザ機器（６）によるネットワーク選択の制御システムであって、
モバイルネットワークＨＰＬＭＮ又は固定無線ネットワークＨＷＳＩＤである、前記ユーザ機器（６）のホームオペレータと、少なくとも１つのモバイルネットワークローミングパートナーＰＬＭＮと、少なくとも１つの固定無線ネットワークローミングパートナーＷＳＩＤとを備え、
前記ユーザ機器（６）のホームオペレータがモバイルオペレータ又は固定無線オペレータのいずれであるかを示すコンフィグレーションパラメータＨＯＣを定義する手段と、
前記コンフィグレーションパラメータＨＯＣを前記ユーザ機器（６）へ設定することにより、前記ユーザ機器に、初期ネットワーク選択時に前記コンフィグレーションパラメータＨＯＣに基づいてネットワークを選択することを許可する手段と、
を特徴とするネットワーク選択の制御システム。
【請求項２１】
前記コンフィグレーション手段は、前記ホームオペレータにより制御され、且つ前記ユーザ機器（６）を請求項１〜１５に記載の方法を実施するよう設定するのに適したソフトウェアアプリケーションから成る請求項２０に記載のネットワーク選択の制御システム。
【請求項２２】
前記ソフトウェアアプリケーションは、前記ユーザ機器（６）へモバイルホームオペレータ及び固定無線ホームオペレータの両者に適用可能なネットワーク選択情報、固定無線ホームオペレータに適用可能な固定無線ネットワーク選択情報を記憶するための、前記ユーザ機器（６）で実行可能な命令と、前記コンフィグレーションパラメータＨＯＣの値に応じて、好適なデフォルトネットワークアクセスメカニズム及び好適なデフォルトネットワークを前記ユーザ機器（６）へ設定するための命令とを含む請求項２１に記載のネットワーク選択の制御システム。
【請求項２３】
前記ソフトウェアアプリケーションは、前記ユーザ機器（６）が、前記コンフィグレーションパラメータＨＯＣの値と、ユーザ及びオペレータ選好のＰＬＭＮリスト並びにユーザ及びオペレータ選好のＷＳＩＤリストを含み、モバイル及び固定無線ホームオペレータの両者に適用可能な選択情報と、前記ユーザ機器（６）に、前記ネットワークコンフィグレーションパラメータＨＯＣがモバイルネットワークコンフィグレーションパラメータである場合にＰＬＭＮ選択を、前記ネットワークコンフィグレーションパラメータＨＯＣが固定無線ホームパラメータである場合には固定無線ネットワーク選択を行わせるための固定無線ネットワーク選択情報とを検索することを許可する請求項２２に記載のネットワーク選択の制御システム。
【請求項２４】
前記ネットワーク選択は、前記ホームオペレータにより制御される請求項２２に記載のネットワーク選択の制御システム。
【発明の詳細な説明】
【技術分野】
【０００１】
本発明は、通信分野に関連し、モバイルネットワークアクセス能力及び固定無線ネットワークアクセス能力を有するデュアル・ユーザ機器(ＵＥ：Ｕｓｅｒ Ｅｑｕｉｐｍｅｎｔ)のホームオペレータによるネットワーク選択を制御する方法に関連する。
【０００２】
本発明は、ユーザ機器、及び前記方法の実施に適応するシステムにも関連する。
【背景技術】
【０００３】
ユーザ機器には、図１により概略的に説明される下記の３つのタイプがある。
ａ− 結局のところ３ＧＰＰ−ＷＬＡＮ能力をデュアルに備えたモバイルＵＥｓ３
ｂ− 固定無線ネットワークアクセス能力のみを備えた固定無線ＵＥｓ４
ｃ− モバイルネットワークアクセス能力及び固定無線ネットワークアクセス能力を有するデュアル・モバイル／固定無線ＵＥｓ６
【０００４】
第１タイプのモバイルＵＥｓ３は、モバイルオペレータの加入者向けに設計されており、３ＧＰＰ ＲＡＴ(Ｒａｄｉｏ Ａｃｃｅｓｓ Ｔｅｃｈｎｏｌｏｇｙ)を実装する基地局１２、又は非３ＧＰＰ ＲＡＴを実装するアクセスポイント１４を介してモバイルコアネットワーク１０へ接続するためのモバイルネットワークアクセス能力のみを有している。
【０００５】
このタイプのモバイルＵＥｓ３に対して、ネットワークの選択が３ＧＰＰにより下記において定義されている。
― ＰＬＭＮ(Ｐｕｂｌｉｃ Ｌａｎｄ Ｍｏｂｉｌｅ Ｎｅｔｗｏｒｋ)が２Ｇ／３Ｇ／ＬＴＥアクセスを経由してアクセスされる場合は、"３ＧＰＰ ＣＴ１ ＴＳ ２３．１２２−ｖ.７ａ０：Ｎｏｎ−Ａｃｃｅｓｓ−Ｓｔｒａｔｕｍ (ＮＡＳ) ｆｕｎｃｔｉｏｎｓ ｒｅｌａｔｅｄ ｔｏ Ｍｏｂｉｌｅ Ｓｔａｔｉｏｎ (ＭＳ) ｉｎ ｉｄｌｅ ｍｏｄｅ"、及び"３ＧＰＰ ＳＡ１ ＴＳ ２２．２７８−ｖ．８３０：Ｓｅｒｖｉｃｅ ｒｅｑｕｉｒｅｍｅｎｔｓ ｆｏｒ ｔｈｅ Ｅｖｏｌｖｅｄ Ｐａｃｋｅｔ Ｓｙｓｔｅｍ (ＥＰＳ)"において、又は
― ＰＬＭＮが非３ＧＰＰアクセスを経由してアクセスされる場合には、"３ＧＰＰ ＣＴ１ ＴＳ ２３．２３４−ｖ．７５０：３ＧＰＰ ｓｙｓｔｅｍ ｔｏ Ｗｉｒｅｌｅｓｓ Ｌｏｃａｌ Ａｒｅａ Ｎｅｔｗｏｒｋ (ＷＬＡＮ) ｉｎｔｅｒｗｏｒｋｉｎｇ； Ｓｙｓｔｅｍ Ｄｅｓｃｒｉｐｔｉｏｎ"、及び"３ＧＰＰ ＳＡ１ ＴＳ ２２．２７８−ｖ．８３０：Ｓｅｒｖｉｃｅ ｒｅｑｕｉｒｅｍｅｎｔｓ ｆｏｒ ｔｈｅ Ｅｖｏｌｖｅｄ Ｐａｃｋｅｔ Ｓｙｓｔｅｍ (ＥＰＳ)"において
【０００６】
後者の場合には、ＷＬＡＮアクセスネットワークとモバイルオペレータコアネットワークとの間に相互運用インフラ(ｐｒｅ−ＳＡＥ Ｉ−ＷＬＡＮ、又はＳＡＥ Ｉｎｔｅｒｗｏｒｋｉｎｇ)がある。
【０００７】
上記の選択手順で定義されるように、ＵＥｓ３は、初期ネットワーク選択時又はホームオペレータ(ＨＰＬＭＮ：ＨｏｍｅＰｕｂｌｉｃ Ｌａｎｄ Ｍｏｂｉｌｅ Ｎｅｔｗｏｒｋ)によりカバーされるエリアから離れる場合に、好ましくはホームモバイルオペレータ(ＨＰＬＭＮ)を最も優先度の高いＰＬＭＮとして選択する。また、ＨＰＬＭＮが利用可能で無い場合、ＵＥｓ３は、好ましくは(Ｕ)ＳＩＭに保存された好適ＰＬＭＮリストで制御されるオペレータ又はユーザを利用するローミングパートナーを選択する。ＰＬＭＮ選択に加えて、ＵＥｓ３は、ＰＬＭＮへのアクセスを提供する無線アクセス技術を選択する。この無線アクセス技術は、３ＧＰＰ無線アクセス技術(ＧＳＭ／ＵＭＴＳ／ＬＴＥ)、又は非３ＧＰＰ無線アクセス技術(３ＧＰＰ２、ＷＬＡＮ：ＷｉＦｉ、ＷｉＭａｘ…)であり得る。
【０００８】
第２タイプの固定無線ＵＥｓ４は、無線能力(ＷｉＦｉ等)を有しており、例えばホームネットワーク、ＷｉＦｉホットスポット、社内ネットワーク…といった非３ＧＰＰ ＲＡＴを実装する無線アクセスポイント２２を介して固定コアネットワーク２０へ接続する。このような機器の例は、ＷｉＦｉカード付きのラップトップ、家庭用の無線電話機である。
【０００９】
このようなＵＥｓは、固定無線ネットワークアクセス能力のみを有しており、換言すると、初期ネットワーク選択時に常に固定無線ネットワークを選択する。
【００１０】
第３タイプのデュアル・モバイル／固定無線ＵＥｓ６は、モバイルネットワークアクセス能力及び固定無線ネットワークアクセス能力の両者を有しており、換言すると、モバイルネットワークコア１４及び固定無線ネットワークコア２０へ接続し、結局のところモバイルネットワーク及び固定無線ネットワークへ同時接続した状態で在り得る。ＨＰＬＭＮ並びにローミングパートナーは、ＰＬＭＮ又は固定無線ネットワークであり得る。アクセス又はコアネットワークレベルでは、モバイル及び固定無線ネットワーク間に相互運用インフラが存在し得ない。
【００１１】
このようなデュアル・モバイル／固定無線ＵＥｓは、３ＧＰＰ Ｒｅｌｅａｓｅ ８ ｓｔｕｄｉｅｓ(３ＧＰＰ ＳＡ１ ＴＲ ２２．８１２−ｖ．１００：Ｓｔｕｄｙ ｉｎｔｏ Ｎｅｔｗｏｒｋ Ｓｌｅｃｔｉｏｎ Ｒｅｑｕｉｒｅｍｅｎｔｓ ｆｏｒ ｎｏｎ−３ＧＰＰ Ａｃｃｅｓｓ、及び３ＧＰＰ ＳＡ１ ＴＲ ２２．９３７ ｖ．１００：Ｒｅｑｕｉｒｅｍｅｎｔｓ ｆｏｒ ｓｅｒｖｉｃｅ ｃｏｎｔｉｎｕｉｔｙ ｂｅｔｗｅｅｎ ｍｏｂｉｌｅ ａｎｄ ＷＬＡＮ ｎｅｔｗｏｒｋｓ)、並びにＴＩＳＰＡＮ Ｒｅ １２ ｓｔｕｄｙ ＥＴＳＩ ＴＲ １８１ ０１１ ／ ＤＴＲ／ＴＩＳＰＡＮ−０１０３８−ＮＧＮ−Ｒ２：Ｆｉｘｅｄ−Ｍｏｂｉｌｅ Ｃｏｎｖｅｒｇｅｎｃｅ；Ｒｅｑｕｉｒｅｍｅｎｔｓ Ａｎａｌｙｓｉｓ (Ｒｅｌｅａｓｅ ２)により研究される新たなユースケースで登場する。
【００１２】
ＵＥｓ６は、下記の２つのカテゴリに識別され得る。
ｃ１：モバイルオペレータの加入者用のデュアル・モバイル／固定無線ＵＥｓ。この場合、ホームオペレータは、モバイルネットワーク、すなわち、３ＧＰＰにおいて現在定義されるようなＨｏｍｅ ＰＬＭＮ(ＨＰＬＭＮ)を所有する。ＨＰＬＭＮは、他のモバイルネットワーク及び他の固定無線ネットワークとの商業協定を結んでいる。
ｃ２：固定無線オペレータの加入者用のデュアル・モバイル／固定無線ＵＥｓ。この場合、ホームオペレータは、固定アクセスポイント(Ｈ−ＷＳＩＤ(ｓ))によってアクセス可能な固定ネットワークを所有する。固定無線ホームオペレータは、他のモバイルネットワーク及び他の固定無線ネットワークとの商業協定を結んでいる。
【００１３】
３ＧＰＰ ＳＡ１ ＴＲ ２２．８１２−ｖ．１００：Ｓｔｕｄｙ ｉｎｔｏ Ｎｅｔｗｏｒｋ Ｓｌｅｃｔｉｏｎ Ｒｅｑｕｉｒｅｍｅｎｔｓ ｆｏｒ ｎｏｎ−３ＧＰＰ Ａｃｃｅｓｓにおける３ＧＰＰ Ｒｅｑｕｉｒｅｍｅｎｔｓで定義されるように、このようなＵＥｓは、モバイルネットワークアクセスメカニズムが使用される場合にＰＬＭＮ選択を開始し、同様だが、固定無線ネットワークアクセスが使用される場合には固定無線ネットワーク選択を区別するであろう。
【００１４】
現在のところ、３ＧＰＰは、詳細なネットワーク選択メカニズムを未だ定義していない。
【００１５】
図２(Ａ)及び図２(Ｂ)は、デュアルモードＵＥｓ ６のための予測的なネットワーク選択動作を概略的に説明している。
【００１６】
この３ＧＰＰ案において、これらのデュアルモードＵＥｓは、ホームオペレータがモバイルネットワーク又は固定無線ネットワークのいずれであるかに応じて異なるネットワーク選択動作を行うであろうと予測されている。
【００１７】
図２(Ａ)に示すように、モバイルオペレータ加入者用のデュアル・モバイル／固定無線ＵＥｓ６は、ステップ３０にて、初期ネットワーク選択時にホームモバイルネットワーク(ＨＰＬＭＮ)をデフォルトネットワークとして自動的に選択すると予測される。加えて、ＵＥｓ６は、Ｖ−ＰＬＭＮｓ又は固定無線パートナーへローミングしても良い。また、デフォルトネットワーク(ＨＰＬＭＮ)を利用できない場合、これらのＵＥｓは、ＰＬＭＮ選択を継続し、以て好ましくは、ステップ３２で固定無線ネットワークよりはむしろモバイルネットワークを選択するであろう。
【００１８】
図２(Ｂ)に示すように、ステップ３４にて、固定無線オペレータ加入者用のデュアル・モバイル／固定無線ＵＥｓは、初期ネットワーク選択時にホームオペレータ固定無線ネットワーク(Ｈ−ＷＳＩＤアクセスポイントにより識別される)をデフォルトネットワークとして自動的に選択すると予測される。加えて、ＵＥｓは、固定無線パートナー又はモバイル(ＰＬＭＮ)パートナーへローミングしても良い。デフォルトネットワーク(Ｈ−ＷＳＩＤ)を利用できない場合、好ましくは、これらのＵＥｓは、ステップ３４にて、利用可能であればＰＬＭＮよりはむしろ代替の固定無線ネットワークを選択すると予測される。
【００１９】
現在のところ、３ＧＰＰは、モバイル及び固定無線ネットワークアクセスの両能力を備え、モバイルオペレータと固定無線オペレータとの間でネットワーク選択を行うこのような機器向けの方法を何ら仕様化していない。
【００２０】
現在のところ、３ＧＰＰは、携帯電話機メーカに、モバイルオペレータの要求及び固定無線オペレータの要求の両者に適応可能である汎用的なデュアル・モバイル／固定無線端末の設計を許可するための方法を何ら仕様化していない。
【００２１】
本発明の目的は、上述した欠点を解消することにある。
【発明の概要】
【００２２】
本発明の目的は、モバイル及び固定無線ネットワークアクセス能力の両者を備えたＵＥｓ向けの新たなネットワーク選択方法によって達成される。この方法は、ホームオペレータの制御下において、ホームオペレータクラスＨＯＣ、すなわちモバイル又は固定無線ホームオペレータに応じてＵＥのネットワーク選択動作を設定するために用いられるコンフィグレーションパラメータを使用する。
【００２３】
この目的は、特に下記のステップを含む方法によって達成される。
−ＵＥのホームオペレータがモバイルオペレータ又は固定無線オペレータのいずれであるかを示すコンフィグレーションパラメータＨＯＣを定義すること
−ＵＥへ前記コンフィグレーションパラメータＨＯＣを記憶すること
−初期ネットワーク選択時に、前記コンフィグレーションパラメータＨＯＣの値に基づきネットワークを選択すること
【００２４】
本発明に係る方法は、下記を更に含む。
−モバイルホームオペレータ及び固定無線ホームオペレータの両者に適用可能な固定無線ネットワーク選択情報を、ＵＥへ記憶すること
−固定無線ホームオペレータに適用可能な固定無線ネットワーク選択情報を定義すると共に、前記固定無線ネットワーク選択情報をＵＥへ記憶すること
−前記コンフィグレーションパラメータＨＯＣの値に応じて、好適なデフォルトネットワークアクセスメカニズムをＵＥへ設定すること
−前記コンフィグレーションパレメータＨＯＣの値に応じて、好適なデフォルトネットワークをＵＥへ設定すること
【００２５】
前記デフォルトネットワークアクセスメカニズムは、前記コンフィグレーションパラメータＨＯＣがモバイルネットワークコンフィグレーションパラメータである場合、モバイルネットワークに設定され、前記コンフィグレーションパラメータＨＯＣが固定無線コンフィグレーションパラメータである場合には、固定無線ネットワークに設定される。
【００２６】
前記好適なデフォルトネットワークは、前記コンフィグレーションパラメータＨＯＣがモバイルネットワークコンフィグレーションパラメータである場合、ＨＰＬＭＮに設定され、前記コンフィグレーションパラメータＨＯＣが固定無線コンフィグレーションパラメータである場合には、Ｈ−ＷＳＩＤのリストに設定される。
【００２７】
好ましくは、前記ネットワーク選択情報は下記を含む。
−ユーザ選好のＰＬＭＮリスト
−オペレータ選好のＰＬＭＮリスト
−ユーザ選好の固定無線アクセスポイントを識別するための、ユーザ選好のＷＳＩＤリスト
−ホームオペレータの固定オペレータローミングパートナーが所有する好適なアクセスポイントのリストを識別するための、オペレータ選好のＷＳＩＤリスト
【００２８】
また、前記固定無線ネットワーク識別情報は、下記を含む。
−固定無線ホームオペレータが所有するアクセスポイントのリストを識別するホームオペレータアクセスポイントリスト(Ｈ−ＷＳＩＤｓ)
−ＵＥが、代替ネットワーク選択時、すなわちネットワークを選択できないデフォルト選択後に、モバイルネットワークアクセス又は固定無線ネットワークアクセスのいずれを優先させるべきかを示す好適ローミングアクセスインジケータ
−固定無線ネットワークオペレータが好適なモバイルネットワークオペレータを有するか否かを示す好適モバイルネットワークインジケータ
【００２９】
本発明に係る方法は、下記のステップを更に含む。
前記コンフィグレーションパラメータＨＯＣの値と、ユーザ及びオペレータ選好のＰＬＭＮリスト並びにユーザ及びオペレータ選好のＷＳＩＤリストを含む、モバイル及び固定無線ホームオペレータの両者に適用可能なネットワーク選択情報とを検索すると共に、前記ＨＯＣの値が固定無線ホームオペレータを示す場合には前記固定無線ネットワーク選択情報を検索すること
初期ネットワーク選択時、前記コンフィグレーションパラメータＨＯＣがモバイルネットワークコンフィグレーションパラメータである場合にＰＬＭＮ選択を行い、前記コンフィグレーションパラメータＨＯＣが固定無線コンフィグレーションパラメータである場合には固定無線ネットワーク選択を行うこと
【００３０】
この手順と共に、ＵＥは、ＰＬＭＮ選択が行われた場合にＨＰＬＭＮを選択し、固定無線ネットワーク選択が行われた場合にはホームオペレータアクセスポイントＨ−ＷＳＩＤ（ｓ）を選択しても良い。
【００３１】
好ましくは、固定無線ホームオペレータが所有するアクセスポイントは、他の固定無線ネットワークが所有するアクセスポイント、ユーザ／オペレータ選好のＷＳＩＤリストとは別個のリスト(Ｈ−ＷＳＩＤ(ｓ))へ記憶され、以てホームオペレータのアクセスポイント選択を、固定無線ローミングパートナーのアクセスポイント選択とは独立して開始可能にする。
【００３２】
さらに、前記コンフィグレーションパラメータＨＯＣ及び固定無線ネットワーク選択情報(Ｈ−ＷＳＩＤ(ｓ)、好適ローミングアクセスメカニズム、好適モバイルネットワークインジケータ)は、好適な実施形態としてはＵＥのＵＳＩＭ(Ｕｎｉｖｅｒｓａｌ Ｓｕｂｓｃｒｉｂｅｒ Ｉｄｅｎｔｉｆｉｃａｔｉｏｎ Ｍｏｄｕｌｅ)、又はＮＶＭ(Ｎｏｎ Ｖｏｌａｔｉｌｅ Ｍｅｍｏｒｙ)のいずれかへ、ホームオペレータにより設定され、且つ工場設定されるか或いは動的に与えられ得る。
【００３３】
前記コンフィグレーションパラメータＨＯＣ及び固定無線ネットワーク選択情報は、ホームオペレータにより、ＵＥの電源オン後にＯＡＭ ＤＭ、ＳＭＳ又はＵＳＳＤのようなエアメカニズムを用いて更新可能である。
【００３４】
本発明の好適な実施形態において、初期ネットワーク選択を用いてネットワークを選択できない場合、ＵＥは、下記のように代替ネットワーク選択を進める。
−前記初期ネットワーク選択がＰＬＭＮ選択であれば、ＵＥがユーザ又はオペレータ選好のアクセスポイントＷＳＩＤ(ｓ)を選択するのみの固定無線ネットワーク選択が行われる。
−前記初期ネットワーク選択が固定無線ネットワーク選択であれば、
デフォルトネットワークアクセスメカニズムが固定無線ネットワークに設定され、且つ好適ローミングアクセスメカニズムがモバイルネットワークアクセスメカニズムに設定されている場合に、ＰＬＭＮ選択が行われる。当該ＰＬＭＮ選択に失敗すると、ユーザ又はオペレータ選好のアクセスポイントＷＳＩＤ(ｓ)を選択するのみの固定無線ネットワーク選択が行われる。
デフォルトネットワークアクセスメカニズムが固定無線ネットワークに設定され、且つ好適ローミングアクセスメカニズムが固定無線ネットワークに設定されている場合には、固定無線ネットワーク選択が行われる。当該固定無線ネットワーク選択に失敗すると、ユーザ又はオペレータ選好のアクセスポイントＷＳＩＤ(ｓ)を選択するのみのＰＬＭＮ選択が行われる。
【００３５】
固定無線ネットワークホームオペレータ用の代替ネットワーク選択が選択された場合、前記代替ネットワーク選択は下記から成る。
前記好適モバイルネットワークインジケータ情報が、前記固定無線ホームオペレータが好適なモバイルネットワークオペレータとしてのＨＰＬＭＮとの商業協定を結んでいることを示す場合、当該ＨＰＬＭＮを最高優先度のＰＬＭＮとした状態での従来のＰＬＭＮ選択、又は
前記好適モバイルネットワークインジケータ情報が、前記固定無線ホームオペレータが複数のモバイルネットワークとの直接的な商業協定を結んでいることを示す場合には、ＨＰＬＭＮ無しのＰＬＭＮ選択手順
【００３６】
本発明に係るユーザ機器(ＵＥ)は、下記を含む。
−ＵＥのホームオペレータがモバイルオペレータ又は固定無線オペレータのいずれであるかを示すコンフィグレーションパラメータＨＯＣを定義する手段
−前記コンフィグレーションパラメータＨＯＣを記憶する手段
−初期ネットワーク選択時に、前記コンフィグレーションパラメータＨＯＣに基づきネットワークを選択する手段
−ネットワーク選択情報を定義する手段
−固定無線ネットワーク選択情報を定義する手段
−前記固定無線ネットワーク選択情報を記憶する手段
【００３７】
好ましくは、前記ネットワーク選択を記憶する手段は、下記を含む。
−ユーザ選好のＰＬＭＮリスト
−オペレータ選好のＰＬＭＮリスト
−ユーザ選好のＷＳＩＤリスト
−オペレータ選好のＷＳＩＤリスト
【００３８】
好ましくは、前記固定無線ネットワーク選択を記憶する手段は、下記を含む。
−ホームオペレータアクセスポイントリスト(Ｈ−ＷＳＩＤｓ)
−好適ローミングアクセスメカニズム
−好適モバイルネットワークインジケータ
【００３９】
本発明に係るユーザ機器は、下記を更に含む。
−コンフィグレーションパラメータＨＯＣを検索する手段
−ユーザ及びオペレータ選好のＰＬＭＮリスト並びにユーザ及びオペレータ選好のＷＳＩＤリストを含み、モバイル及び固定無線ホームオペレータの両者に適用可能なネットワーク選択情報を検索する手段
−前記固定無線ネットワークを検索する手段
−下記を行う手段
・前記ネットワークコンフィグレーションパラメータＨＯＣがモバイルネットワークコンフィグレーションパラメータである場合にＰＬＭＮ選択、又は
・前記ネットワークコンフィグレーションパラメータＨＯＣが固定無線コンフィグレーションパラメータである場合には固定無線ネットワーク選択
【００４０】
好ましくは、前記ネットワーク選択は、ＨＰＬＭＮにより制御される。
【００４１】
効果として、本発明は、モバイルオペレータ及び固定無線オペレータの両者に対して同一のハンドセットを販売するためのハンドセットメーカを可能にする。加えて、本発明は、ユーザが、その加入をモバイル及び固定無線ホームオペレータ間で変更しながら同一のハンドセットを持ち続けることを可能にする。
【図面の簡単な説明】
【００４２】
上述した概要並びに以下の詳細な説明は、本発明の実施形態を説明する添付図面と併せて読むと、より良く理解されるであろう。
【図１】ユーザ機器の分類を概略的に説明する図である。
【図２】ネットワーク選択中における、モバイルホームオペレータの加入者用のデュアル・モバイル／固定無線ユーザ機器及び固定無線ホームオペレータの加入者用のデュアル・モバイル／固定無線ユーザ機器の予測的に提案された動作を概略的に説明する図である。
【図３】本発明のネットワーク選択方法を実行する汎用的なＵＥの設定手順を概略的に示す図である。
【図４】本発明に従って設定されたＵＥによる初期ネットワーク選択の例を概略的に説明する図である。
【図５】本発明に従って設定されたＵＥによるネットワーク選択の特定の実施形態を概略的に説明する図である。
【発明を実施するための形態】
【００４３】
本発明は、システムにおける本発明の実施を説明する図３、図４、図５(Ａ)及び図５(Ｂ)を参照して説明される。このシステムは、少なくとも１つのモバイルネットワークと、少なくとも１つの固定無線ネットワークと、モバイルネットワークアクセス能力及び固定無線ネットワークアクセス能力を有するデュアル・ユーザ機器(ＵＥ)と、ＵＥがそのＨＰＬＭＮの無線カバレッジ外で初期ネットワーク選択を行う際にネットワーク選択を制御する手段とを備える。
【００４４】
システムは、ＵＥのホームオペレータがモバイルオペレータ又は固定無線オペレータのいずれであるかを示すコンフィグレーションパラメータＨＯＣを定義する手段と、コンフィグレーションパラメータＨＯＣをＵＥへ設定することにより、ＵＥに、初期ネットワーク選択時にコンフィグレーションパラメータＨＯＣに基づくネットワークを選択することを許可する手段とを備える。
【００４５】
これらの手段は、ＨＰＬＭＮ及びＵＥに実装され、且つホームオペレータによりＵＥに本発明に係る方法を実施させるよう制御されるソフトウェアアプリケーションから成る。
【００４６】
ソフトウェアアプリケーションは、ＵＥで実行された場合に、ＵＥへモバイルホームオペレータ及び固定無線ホームオペレータの両者に適用可能なネットワーク選択情報を記憶するための命令と、ＵＥで実行された場合に、コンフィグレーションパラメータＨＯＣの値に応じて、ＵＥへ好適なデフォルトネットワークアクセスメカニズムを設定するための命令とを含む。
【００４７】
ソフトウェアアプリケーションは、ＵＥに下記を実行することを許可するため、ＵＥに、コンフィグレーションパラメータＨＯＣの値と、ユーザ及びオペレータ選好のＰＬＭＮリスト並びにユーザ及びオペレータ選好のＷＳＩＤリストを含み、モバイル及び固定無線ホームオペレータの両者に適用可能なネットワーク選択情報と、固定無線ＨＯＣの場合の固定無線ネットワーク選択情報とを検索することを許可する。
コンフィグレーションパラメータＨＯＣがモバイルネットワークコンフィグレーションパラメータである場合はＰＬＭＮ選択、又は
コンフィグレーションパラメータＨＯＣが固定無線コンフィグレーションパラメータである場合には固定無線ネットワーク選択
【００４８】
図３は、モバイル及び固定無線ネットワークアクセス能力の両者を有する、携帯電話機やラップトップのようなＵＥ６の設定フェーズ３８を説明している。
【００４９】
このフェーズは、ＵＥ６が、そのＵＳＩＭ又はＮＶＭにホームオペレータにより記憶されたコンフィグレーションパラメータに基づいて、３ＧＰＰネットワーク選択又は非３ＧＰＰネットワーク選択のいずれかを行えるようにすることを目的としている。
【００５０】
コンフィグレーション情報は、ホームオペレータクラス情報(ＨＯＣ)と、ネットワーク選択情報(ユーザ選好のＰＬＭＮリスト、オペレータ選好のＰＬＭＮリスト、ユーザ選好のＷＳＩＤリスト、オペレータ選好のＷＳＩＤリスト)と、固定無線ネットワーク選択情報(Ｈ−ＷＳＩＤ(ｓ)、好適ローミングアクセスメカニズム、好適モバイルネットワークインジケータ)とを含む。
【００５１】
ＵＥ６は、ダウンロードデータに応じたネットワーク選択を自動的に実行するために、ＵＳＩＭ又はＮＶＭからダウンロードしたコンフィグレーション情報を用いてパラメータ化されるであろうソフトウェアアプリケーションを備えている。
【００５２】
ＵＥ６は、工場設定されるか、或いは当該情報を動的に与えられ得る。
【００５３】
ステップ４０にて、初期ネットワーク選択時(ＵＥ６が電源投入された場合、或いはハンドオーバ手順後)、ＵＥ６は、そのメモリ又はＮＶＭにホームオペレータにより記憶された情報を自動的に検索する。
【００５４】
ステップ４２にて、ＵＥ６は、ＨＯＣパラメータ(Ｈｏｍｅ Ｏｐｅｒａｔｏｒ Ｃｌａｓｓ)を検索する。
【００５５】
ステップ４４にて、ＵＥ６は、当該ＨＯＣを解析する。
【００５６】
ＨＯＣ値がモバイルネットワークに対応する場合、ステップ４６にて、ＵＥ６は、当該ＨＯＣ値を用いてソフトウェアアプリケーションをパラメータ化する。
【００５７】
ステップ４８にて、ソフトウェアアプリケーションは、モバイルホームオペレータ用のデフォルトネットワーク選択パラメータを下記のように設定する。
・デフォルトネットワーク：＝ ＨＰＬＭＮ
・デフォルトアクセスの設定：＝ モバイルネットワーク
【００５８】
ＨＯＣ値が固定無線ネットワークに対応する場合、ステップ５０にて、ＵＥ６は、当該ＨＯＣ値を用いてソフトウェアアプリケーションをパラメータ化する。そして、ソフトウェアアプリケーションは、下記に示す、記憶している固定無線ネットワークホームオペレータの固有情報を検索する。
・Ｈ−ＷＳＩＤ(ｓ)
・好適モバイルネットワークインジケータ
・好適ローミングアクセスメカニズム
・[ＨＰＬＭＮ]
【００５９】
ステップ５２にて、ソフトウェアアプリケーションは、固定無線ネットワークホームオペレータ用のデフォルトネットワーク選択パラメータを下記のように設定する。
・デフォルトネットワーク：＝ Ｈ−ＷＳＩＤ(ｓ)
・デフォルトアクセスの設定：＝ 固定無線ネットワーク
【００６０】
図４は、ＵＥ６がＨＰＬＭＮのカバレッジエリア外に移動した場合において、ＵＥにより設定フェーズ３８の後に実行される初期ネットワーク選択の例を説明している。
【００６１】
ステップ６０にて、ソフトウェアアプリケーションは、ＨＯＣ値を解析する。
【００６２】
ＨＯＣ値がモバイルネットワークに対応する場合(矢印６２)、ソフトウェアアプリケーションは、デフォルトネットワーク(ＨＰＬＭＮ)にユーザ／オペレータ選好のＰＬＭＮを超える最高優先度が与えられるＰＬＭＮ選択６４を実行する。
【００６３】
ＨＯＣ値が固定無線ネットワークに対応する場合、ソフトウェアアプリケーションは、デフォルトネットワークＨ−ＷＳＩＤ(ｓ)が選択される固定無線選択６６を実行する。
【００６４】
ＰＬＭＮ選択６４に失敗した場合、ソフトウェアアプリケーションは、ユーザ／オペレータ選好のＷＳＩＤのみを選択パラメータとして使用する代替固定無線ネットワーク選択６８を実行する。
【００６５】
固定無線選択６６に失敗した場合、ソフトウェアアプリケーションは、ＵＥに設定された好適ローミングアクセスメカニズムパラメータをチェックする。
【００６６】
ローミングアクセスメカニズムがモバイルネットワークに対応する場合(矢印７２)、ソフトウェアアプリケーションは、ＰＬＭＮ選択を実行する(ステップ７４)。このＰＬＭＮ選択に失敗した場合、ソフトウェアアプリケーションは、ユーザ／オペレータ選好のＷＳＩＤのみを選択パラメータとして使用する固定無線選択を実行する(ステップ７６)。
【００６７】
ローミングアクセスメカニズムが固定無線ネットワークに対応する場合(矢印７８)、ソフトウェアアプリケーションは、固定無線選択を実行する(ステップ８０)。この固定無線選択に失敗した場合、ソフトウェアアプリケーションは、ＰＬＭＮ選択を実行する(ステップ８２)。
【００６８】
図５(Ａ)及び５(Ｂ)は、初期ネットワーク選択時に固定無線ホームオペレータのアクセスポイントが選択できない場合において、本発明に従って設定されるＵＥにより代替ネットワーク選択の一部として開始された際のＰＬＭＮ選択(ステップ７４及び８２)の特定の実施形態を概略的に説明している。
【００６９】
好適モバイルネットワークインジケータが、固定無線ホームオペレータが好適なモバイルネットワークローミングパートナーを有することを示す図５(Ａ)において、ＵＥ６が固定無線ホームオペレータ９０のカバレッジ外に在り、且つモバイルネットワークアクセスメカニズムが代替ネットワーク選択に用いられる場合、ソフトウェアアプリケーションは、３ＧＰＰ仕様で現在定義されるようなＰＬＭＮ選択を開始する。好適モバイルオペレータ９２は、ＵＳＩＭにＨＰＬＭＮとして設定されているものとする。
【００７０】
ＵＥ６は、ＨＰＬＭＮを最高優先度として選択するであろう。ＨＰＬＭＮが利用できない場合、ＵＥは、モバイルネットワークホームオペレータＨＰＬＭＮ９２の好適モバイルネットワークローミングパートナー９４の内からモバイルネットワークを選択するであろう。
【００７１】
好適モバイルネットワークインジケータ情報が、固定無線ホームオペレータが好適なモバイルネットワークローミングパートナーを有さないことを示す図５(Ｂ)において、ＵＥ６が固定無線ホームオペレータ９０のカバレッジ外に在り、且つモバイルネットワークアクセスメカニズムが代替ネットワーク選択に用いられる場合、ソフトウェアアプリケーションは、ＨＰＬＭＮ無しのＰＬＭＮ選択を開始する。
【００７２】
ＵＥ６は、固定無線ホームオペレータ９０の好適モバイルネットワークローミングパートナー９６のリストの内からモバイルネットワークを選択するであろう。
【００７３】
以下に示すのは、携帯端末における本発明の好適な実施である。ＨＯＣは、後述する如くエレメンタリファイル(ＥＦ：Ｅｌｅｍｅｎｔａｒｙ Ｆｉｌｅｓ)として記憶される。
【００７４】
ＥＦ−ＨＯＣＬＡＳＳ：
本ＥＦは、ホームオペレータ用のクラス識別子を含む。
【００７５】
【表１】
2011523514.tif 000003
【００７６】
ＥＦ−Ｈ−ＷＳＩＤ：
本ＥＦは、固定無線ホームオペレータのネットワーク識別子を含む。
【００７７】
【表２】
2011523514.tif 000004
【００７８】
ＥＦ−ＰＰＬＭＮインジケータ：
本ＥＦは、好適モバイルネットワークオペレータインジケータを含む。このインジケータは、ＥＦＨＯＣＬＡＳＳが固定無線ホームオペレータを示す場合に意味を持つ。
【００７９】
【表３】
2011523514.tif 000005
【００８０】
・ＰＰＬＭＮインジケータがＹｅｓに設定される場合、ＵＳＩＭ中のＨＰＬＭＮ情報は、モバイルネットワークホームオペレータを含まず、むしろ固定無線ホームオペレータの好適モバイルネットワークを含む。
・ＰＰＬＭＮインジケータがＮｏに設定される場合、ＵＳＩＭ中のＨＰＬＭＮ情報は意味を持たず(存在せず)、ＵＥは、モバイルネットワークアクセスメカニズムを使用する際、ＨＰＬＭＮ無しのＰＬＭＭ選択を開始する。
【００８１】
ＥＦ−ＰＲｏａｍｉｎｇＡｃｃｅｓｓ：
本ＥＦは、好適ローミングアクセスメカニズムを含む。このメカニズムは、ＥＦＨＯＣＬＡＳＳが固定無線ホームオペレータを示す場合に意味を持つ。
【００８２】
【表４】
2011523514.tif 000006
【００８３】
・ＰＲｏａｍｉｎｇＡｃｃｅｓｓがモバイルネットワークに設定される場合、ＵＥは、代替ネットワーク選択中、すなわち固定無線ホームオペレータのカバレッジ外に在れば、モバイルネットワークを固定無線ネットワークよりも優先度が高いと見なすであろう。
・ＰＲｏａｍｉｎｇＡｃｃｅｓｓが固定無線ネットワークに設定される場合、ＵＥは、代替ネットワーク選択中、すなわち固定無線ホームオペレータのカバレッジ外に在れば、固定無線ネットワークをモバイルネットワークよりも優先度が高いと見なすであろう。
【図１】
2011523514.tif 000007
【図２】
2011523514.tif 000008
【図３】
2011523514.tif 000009
【図４】
2011523514.tif 000010
【図５】
2011523514.tif 000011
【国際調査報告】
2011523514.tif 000012